(57)【特許請求の範囲】
【請求項１】
ＣＤ−Ｒディスクブランク（１０）であって、該ＣＤ−Ｒディスクブランク（１０）がプラスチック板（１２）を有していて、該プラスチック板（１２）が、ピックアップ側とは反対の側に、該プラスチック板（１２）にルーズに載置された反射層（１４）を備えており、該反射層（１４）が、当該記憶ディスク（２２）の回転軸線（１５）を取り囲む第１の線（１８）に沿って前記プラスチック板（１２）に結合されている形式のＣＤ−Ｒディスクブランク（１０）から、任意の縁輪郭を有する光学的に読取り可能なデジタル式の記憶ディスク（２２）を製造するための方法において、反射層（１４）を、任意に成形された、前記回転軸線（１５）から見て第１の線（１８）の外側に延びている、それ自体閉じられた第２の線（２４）に沿って、前記プラスチック板（１２）と特に溶接により結合し、その後に、ＣＤ−Ｒディスクブランク（１０）から、縁輪郭に相当する第３の線（２６）に沿って当該記憶ディスク（２２）を切り抜き、ただしこの場合、第３の線（２６）は第２の線（２４）の、前記回転軸線（１５）とは反対の側に延びていることを特徴とする、光学的な記憶ディスクを製造するための方法。
【請求項２】
当該記憶ディスク（２２）に記憶させたい情報を切断の前に、または切断の後に書き込み、ただしこの場合、個々の方法ステップの間には任意の長さの時間が経過してよい、請求項１記載の方法。
【請求項３】
反射層（１４）とプラスチック板（１２）との結合を、縁輪郭の切断と同時に行い、当該記憶ディスク（２２）に記憶させたい情報を、その後に任意の時間に書き込む、請求項１記載の方法。
【請求項４】
反射層（１４）とプラスチック板（１２）との結合を、点状のオーバラップするレーザ溶接により行う、請求項１から３までのいずれか１項記載の方法。
【請求項５】
反射層（１４）とプラスチック板（１２）との結合を、第２の線（２４）に対応して成形されたホットスタンピングポンチを用いて行う、請求項１から３までのいずれか１項記載の方法。
【請求項６】
反射層（１４）とプラスチック板（１２）との結合を接着により行う、請求項１から３までのいずれか１項記載の方法。
【請求項７】
反射層（１４）とプラスチック板（１２）との結合を、プラスチック板（１２）へ反射層（１４）を第２の線（２４）に沿ってプレスして押し被せることにより行う、請求項１から３までのいずれか１項記載の方法。
【請求項８】
縁輪郭をフライス削りにより形成する、請求項１から７までのいずれか１項記載の方法。
【請求項９】
縁輪郭をレーザ切断により形成する、請求項１から７までのいずれか１項記載の方法。
【請求項１０】
縁輪郭をホットワイヤ切断により形成する、請求項１から７までのいずれか１項記載の方法。
【請求項１１】
縁輪郭をソーイングにより形成する、請求項１から７までのいずれか１項記載の方法。
【請求項１２】
ＣＤ−Ｒディスクブランク（１０）が、市販の記録可能なＣＤ−Ｒ記憶ディスクである、請求項１から１１までのいずれか１項記載の方法。
【請求項１３】
ＣＤ−Ｒディスクブランク（１０）であって、該ＣＤ−Ｒディスクブランク（１０）がプラスチック板（１２）を有していて、該プラスチック板（１２）が、ピックアップ側とは反対の側に、該プラスチック板（１２）にルーズに載置された反射層（１４）を備えており、該反射層（１４）が、当該記憶ディスク（２２）の回転軸線（１５）を取り囲む第１の線（１８）に沿って前記プラスチック板（１２）に結合されている形式のＣＤ−Ｒディスクブランク（１０）において、反射層（１４）が、前記回転軸線（１５）から見て第１の線（１８）の外側に延びている、それ自体閉じられた第２の線（２４）に沿って、前記プラスチック板（１２）と結合されており、当該ＣＤ−Ｒディスクブランク（１０）が、前記回転軸線（１５）に対して同心的に配置された円の形状とは異なる、任意に成形された形状を有する第３の線（２６）に相当する縁輪郭を有しており、ただし、第３の線（２６）は第２の線（２４）の、前記回転軸線（１５）とは反対の側に延びていることを特徴とするＣＤ−Ｒディスクブランク。
【請求項１４】
第２の線（２４）が、前記回転軸線（１５）を同心的に取り囲んでいるか、または同心的な円の形状とは異なる任意の形状を有している、請求項１３記載のＣＤ−Ｒディスクブランク。
【請求項１５】
プラスチック板（１２）が、部分的にのみ反射層（１４）で被覆されている、請求項１３または１４記載のＣＤ−Ｒディスクブランク。
【発明の詳細な説明】
【０００１】
本発明は、請求項１の上位概念部に記載の、ＣＤ−Ｒディスクブランク（ＣＤ−Ｒ−Ｐｌａｔｔｅｎｒｏｈｌｉｎｇ）から、光学的に読取り可能なデジタル式のメモリディスクもしくは記憶ディスクを製造するための方法および該記憶ディスクを製造するために適したＣＤ−Ｒディスクブランクに関する。
【０００２】
片面に金属層と、その上の保護ラッカ層とを支持しかつ少なくとも部分的に円とは異なる形状の縁部を有するＣＤ記憶ディスクからこのような記憶ディスクを製造するための方法は、ドイツ連邦共和国実用新案第２９５１２１８８号明細書に基づき既に公知である。このようなディスクは、プレス技術において情報を付与された、コンパクトディスクタイプの記憶ディスクである。この場合、情報はプラスチック板の表面にプレスにより導入されており、このプラスチック板は次いで、反射性の金属層で被覆される。ラッカ層は、情報を担持した極めて薄い金属層を保護するために働く。プラスチック板は金属層と全面で緊密に結合されており、そして金属層はラッカ層とやはり全面で緊密に結合されているので、型切断（Ｆｏｒｍｓｃｈｎｉｔｔ）時には、開いた切断縁部内に湿分が侵入するという問題しか生じない。
【０００３】
しかし、書込み可能もしくは記録可能な光学的な記憶ディスク、つまりいわゆる「ＣＤ−Ｒ（Ｒｅｃｏｒｄａｂｌｅ  Ｃｏｍｐａｃｔ  Ｄｉｓｋ）、あるいはまた「ＣＤ−ＷＯ（Ｃｏｍｐａｃｔ  Ｄｉｓｋ−Ｗｒｉｔｅ  Ｏｎｃｅ＝１回だけ書込み可能）においては、事情が異なる。このような記録可能な記憶ディスクは周知のように、プラスチック板に透明な色素層が被着され、この色素層自体は反射層によってカバーされるように構築されている。情報の書込み時では、色素層が点状に加熱され、このときに色素層は変色すると同時に小さな気泡を形成する。この気泡の上では反射層が軽度に持ち上がる。この理由から、反射層は回転軸線を取り囲む第１の線と、この第１の線を取り囲む別の線とに沿ってプラスチック板と結合されている。第１の線と別の線との間では、反射層が、情報を担持した色素層にルーズに載置されている。すなわち、ＣＤの場合のような単純な型切断が行われた場合には、情報を担持した面範囲の上でも、反射層の完全な破壊が生じ、これによりディスクがもはや読取り不可能となる恐れがある。
欧州特許出願公開第０６２８９５６号明細書には、ＣＤ−Ｒディスクブランクおよび該ＣＤ−Ｒディスクブランクを製造するための方法が記載されている。この公知のＣＤ−Ｒディスクブランクはプラスチック板を有していて、このプラスチック板はピックアップ側とは反対の側に、このプラスチック板にルーズに載置された反射層を備えており、この反射層は、記憶ディスクの回転軸線を同心的に取り囲む第１の線と、この回転軸線から見て第１の線の外側に延びる同心的な第２の線とに沿ってプラスチック板に結合されている。このプラスチック板は部分的にのみ反射層で被覆されている。
【０００４】
本発明の課題は、ＣＤ−Ｒタイプの光学的に読取り可能なデジタル式の記憶ディスクを製造するための方法を提供し、かつＣＤ−Ｒディスクブランクから製造された、このような記憶ディスクを提供することである。
【０００５】
上記課題は、本発明によれば方法に関しては請求項１の特徴部に記載の方法ステップにより、記憶ディスクに関しては請求項１３の特徴部に記載の特徴を有する構成により、それぞれ解決される。
【０００６】
本発明によれば、反射層が、任意に成形された、当該記憶ディスクの回転軸線から見て第１の線の外側に延びている、それ自体閉じられた第２の線に沿って、前記プラスチック板と結合され、特に溶接され、その後に、縁輪郭に相当する第３の線に沿って当該記憶ディスクが切断され、ただしこの場合、第３の線は第２の線の、前記回転軸線とは反対の側に延びている。
【０００７】
すなわち、反射層はその縁部でプラスチック板に結合されており、第１の線と第２の線との間に位置する面範囲は引き続きプラスチック板にルーズに載置されている。すなわち、記憶ディスクにはこの範囲において問題なく情報を書き込むことができる。反射層の、第２の線の外側に位置する面範囲は、縁輪郭の切断時に分離され、ブラシかけ、拭き取りまたは吹き払いにより、プラスチック板から容易に除去され得る。
【０００８】
第２の線が第３の線に直接に隣接していてよいことに基づき、反射層は不規則的に成形された記憶ディスクをも完全にカバーすることができる。すなわち、このような記憶ディスクは、付加的に貼付けされる「ラベル」なしでも、見栄えの良い外観を有している。
【０００９】
本発明による方法の改良形では、記憶ディスクに記憶させたい情報を縁輪郭の切断の前または切断の後に書き込むことができる。この場合、個々の方法ステップの間には、任意の長さの時間が経過してよい。すなわち、書き込まれていない未記録の記憶ディスクを前製作し、そして任意の時点で個人の情報を書き込むことができる。たとえば、いわゆる「お祝いディスク（Ｇｌｕｅｃｋｗｕｎｓｃｈｐｌａｔｔｅｎ）」を、その都度の機会に対応した種々異なる形で製造して、販売することができる。このようなお祝いディスクには、購入者によって専用の記録器具、つまり「ＣＤライタ」において、個人的な情報、たとえば歌、文字、画像またはビデオクリップ、あるいはまたコンピュータ処理可能なデータを書き込むことができる。
【００１０】
本発明による方法の別の改良形では、反射層とプラスチック板との結合が、縁輪郭の切断と同時に行われる。これにより、製造時の１作業工程が節約される。記憶ディスクに記憶させたい情報は、その後に任意の時間に書き込むことができる。
【００１１】
反射層とプラスチック板との結合は、オーバラップする点状のレーザ溶接により行われると有利である。しかし、第２の線に対応して成形されたホットスタンピングポンチ（Ｈｅｉｓｓｐｒａｅｇｅｓｔｅｍｐｅｌ）を用いるか、または接着またはプレスによっても上記結合を行うことができる。
【００１２】
輪郭はフライス加工により形成されると有利であるが、しかしレーザ切削加工、熱フィラメント切削加工（Ｈｅｉｓｓｄｒａｈｔｓｃｈｎｅｉｄｅｎ）またはソーイング（鋸引き）加工によっても形成され得る。
【００１３】
本発明のさらに別の特徴および利点は、以下に説明する実施例に記載されている。以下に、本発明の実施例を図面につき詳しく説明する。
【００１４】
図１には、市販されているようなＣＤ−Ｒディスクブランク１０が図示されている。このＣＤ−Ｒディスクブランク１０は、たいていポリカーボネートから成るプラスチック板１２と、このプラスチック板１２に被着された色素層とを有している。この色素層の上には、たいてい金から成る反射層１４が配置されている。この反射層１４は、中心孔１６の中心と整合した回転軸線１５を同心的に取り囲む第１の線１８に沿って、かつＣＤ−Ｒディスクブランク１０の縁部２０の近傍において、プラスチック板１２に結合されている。
【００１５】
このＣＤ−Ｒディスクブランク１０からは、本発明による方法を用いて、任意の縁輪郭を有するメモリディスクもしくは記憶ディスク２２を製造することができる。図１に示した実施例では、記憶ディスク２２が、扁平にされた頂点を有する三角形の形状を有している。このような形状は、記憶ディスク２２を比較的容易にＣＤライタ（記録器）内にセンタリングして挿入し、かつあとでＣＤ走行装置内にセンタリングして挿入することができるようにするためには、少なくとも幾つかの個所において、ＣＤ−Ｒディスクブランク１０の最初の縁部２０が維持されることが望ましいことを明瞭にする目的で、この実施例のために選択されたものである。
【００１６】
まず、反射層１４が、第２の線２４に沿ってプラスチック板１２と溶接される。この第２の線２４は、それ自体閉じた、つまりそれ自体繋がった任意の形状を有していてよい。第２の線２４は単に、あとから形成される記憶ディスク２２の縁輪郭に相当する第３の線２６の内側に留まっていればよく、第１の線１８と第２の線２４との間に残った同心的な面、つまり記録可能な面２８は、記録したい情報量を収容することができなければならない。この実施例では、第２の線２４が中心孔１６を同心的に取り囲んでいる。しかし、第２の線２４は第３の線２６のすぐ内側に延びていてもよいし、あるいは第３の線２６と、記録可能な面２８の外側の輪郭制限部との間に任意に延びていてもよい。
【００１７】
次いで、記憶ディスク２２に情報を記録するか、またはまず最初に記憶ディスク２２の外側輪郭を切り抜くことができる。切削工具、たとえばフライスはこの場合、第３の線２６に沿って案内される。斜線で埋められた、第３の線２６を越えて突出している面範囲３０が除去される。比較的脆い反射層１４の、第２の線２４を越えて突出している部分は、第２の線２４に沿って破折される。
【００１８】
図２には、図１のＡで示した部分を拡大した図が示されている。図２から判るように、反射層１４は、有利にはレーザ溶接によってプラスチック板１２に結合される。この方法には、加熱が点状にかつ極めて小さな面３２においてしか行なわれないという利点がある。すなわち、あとで行われる記録のために提供された面のうち、溶接によって「だいなしにされた」縁範囲が小さくなる。個々のレーザ放電の溶接点の面３２は、互いにオーバラップするので、中断されていない連続的な溶接トラック３４が生じる。
【図面の簡単な説明】
【図１】  ＣＤ−Ｒディスクブランクを、上で説明した各線を描いた状態で示す概略図である。
【図２】  図１の範囲Ａの拡大図である。
【符号の説明】
１０  ＣＤ−Ｒディスクブランク、  １２  プラスチック板、  １４  反射層、  １５  回転軸線、  １６  中心孔、  １８  第１の線、  ２０  縁部、  ２２  記憶ディスク、  ２４  第２の線、  ２６  第３の線、  ２８  記録可能な面、  ３０  面範囲、  ３２  面、  ３４  溶接トラック
【図１】
0004005310.tif 000002
【図２】
0004005310.tif 000003